(57)【要約】【課題】画像形成内容との対応関係が定められた記録紙を用いて複数頁・複数Ｍ部の画像形成を実行している途中でジャムが発生した場合にも、面倒な操作無しに正しく画像形成を続行する。【解決手段】複数Ｎ頁分の記録紙を一部とした状態で、該記録紙について複数Ｍ部の画像形成を連続して実行する際に、給紙から排紙に至る過程を正常に出力できなかった記録紙（ジャム記録紙）が発生した場合に、ジャム記録紙の次の記録紙から、次の部であってジャム記録紙に対応する頁の記録紙の直前の記録紙までを、画像形成せずに白紙のままの状態で、通常とは別の排紙トレイに排紙すると共に、ジャム記録紙に対応する次の部の記録紙から対応する頁の画像データの画像形成を開始する。【選択図】　　　図１
2004117970.tif 000002
【特許請求の範囲】
【請求項１】
複数Ｎ頁分を一部とした状態で複数Ｍ部の記録紙について画像形成を行って出力する画像形成装置であって、
複数Ｎ頁分を一部とした状態で複数Ｍ部の記録紙の給紙が可能な給紙手段と、
前記Ｎについての入力がなされる操作入力部と、
前記操作入力部での入力に応じて記録紙に対応した複数Ｎ頁分を一部とする画像データに応じて、複数Ｍ部の画像形成を行う画像形成モードで画像形成を実行する制御手段と、
複数の排紙トレイを有する後処理手段と、を備え、
前記制御手段は、正常に出力できなかった記録紙が発生した場合に、前記正常に出力できなかった記録紙の次の記録紙から、次の部であって前記正常に出力できなかった記録紙に対応する記録紙の直前の記録紙までを、画像形成せずに、正常に出力する排紙トレイとは別の排紙トレイに排紙する制御を行うと共に、前記正常に出力できなかった記録紙に対応する次の部の記録紙から画像形成を再開する制御を行う、
ことを特徴とする画像形成装置。
【請求項２】
画像形成に関する状態を表示可能な表示手段を備え、
前記制御手段は、画像形成せずに別トレイに排紙する記録紙が存在する場合に、該画像形成されずに排紙される記録紙中で欠落している頁の記録紙に関する情報を前記表示手段に表示する制御を行う、
ことを特徴とする請求項１記載の画像形成装置。
【請求項３】
画像形成に関する状態を表示可能な表示手段を備え、
前記制御手段は、正常に出力できない記録紙が同一画像形成ジョブ中に複数回発生した場合に、別排紙トレイに排紙される記録紙の頁に関する情報を前記表示手段に一覧表示する制御を行う、
ことを特徴とする請求項１記載の画像形成装置。
【請求項４】
複数Ｎ頁分を一部とした状態で複数Ｍ部の記録紙について画像形成を行って出力する画像形成装置であって、
複数Ｎ頁分を一部とした状態で複数Ｍ部の記録紙の給紙が可能な給紙手段と、
前記Ｎについての入力がなされる操作入力部と、
前記操作入力部での入力に応じて記録紙に対応した複数Ｎ頁分を一部とする画像データに応じて、複数Ｍ部の画像形成を行う画像形成モードで画像形成を実行する制御手段と、を備え、
前記制御手段は、正常に出力できなかった記録紙が発生した場合に、前記正常に出力できなかった記録紙の次頁から同一部の最終頁までの記録紙を画像形成せずに排紙する制御を行うと共に、次の部の第１頁目の記録紙から画像形成を再開する制御を行う、
ことを特徴とする画像形成装置。
【請求項５】
画像形成に関する状態を表示可能な表示手段を備え、
前記制御手段は、画像形成せずに排紙する記録紙が存在する場合に、該画像形成されずに排紙される記録紙に関する情報を前記表示手段に表示する制御を行う、
ことを特徴とする請求項４記載の画像形成装置。
【発明の詳細な説明】
【０００１】
【発明の属する技術分野】
本発明は複写機、プリンタなどの画像形成装置に関し、特に、複数Ｎ頁分の記録紙を一部とした状態で該記録紙について複数Ｍ部の画像形成が可能な画像形成装置に関する。
【０００２】
【従来の技術】
一般的な画像形成装置では、画像形成の途中（給紙から排紙に至るいずれかの過程）でジャムなどにより画像形成を正常に出力できなかった記録紙が発生した場合、ジャムなどにより詰まった記録紙を取り除くことで画像形成の再開が可能であった。なお、このように詰まった記録紙を取り除くことを「ジャム処理」と呼んでいる。
【０００３】
なお、一般的な画像形成装置においてジャム処理を実行することが、以下の特許文献１に対策が述べられている。しかし、この特許文献１記載の技術や、その他の一般的なジャム処理では、詰まった記録紙を取り除くだけであり、後述するような用途では問題が生じることになる。
【０００４】
【特許文献１】
特開平９−９０８２４号公報
【０００５】
【発明が解決しようとする課題】
複数Ｎ頁分の記録紙を一部とした状態で、該複数頁の記録紙を複数Ｍ部分順番に給紙トレイに積載しておいて、複数頁の画像形成を複数Ｍ部分連続して実行することがある。
【０００６】
この場合、各部の複数頁の記録紙については、レターヘッドが予め印刷された表紙を使用する場合や、挿入頁位置が予め定められたタブ紙を用いる場合などがあり、記録紙を給紙トレイに積載する順番と、画像形成する頁の内容と記録紙との対応関係が重要になる。
【０００７】
このように画像形成内容との対応関係が定められた記録紙を用いて複数頁・複数Ｍ部の画像形成の際に、画像形成の途中でジャムが発生した場合、ジャムが発生した記録紙を取り除いただけで画像形成を再開してしまうと、画像形成内容と記録紙との対応関係が崩れてしまうことがある。この結果、再開した後の記録紙全体について画像形成内容と記録紙との対応関係が崩れた状態を引き継いでしまい、再開後の記録紙全体は無駄になってしまう。
【０００８】
このような場合には、ジャムを発生した記録紙の次の記録紙から、画像形成を再開する直前までの記録紙を、オペレータ（画像形成装置の使用者）が給紙トレイから取り除く必要がある。
【０００９】
しかし、取り除く必要があることを忘れて画像形成を再開してしまったり、取り除く記録紙の枚数を間違えてしまったりすることで、所望の画像形成の結果が得られないことも多かった。
【００１０】
また、画像形成装置によっては、画像形成装置内でジャムが発生した位置が画像形成前か画像形成後かにより、画像形成を再開した時点で形成される画像内容が異なる場合がある。このような場合にも、オペレータが正しい枚数の記録紙を正確に取り除くことは困難であった。
【００１１】
以上のような理由で、ジャムが発生した場合に、その実行途中の画像形成を一旦中止（クリア）して、記録紙を新たにセットし直して、新たに画像形成をやり直すようにする場合もあった。
【００１２】
いずれにしても、画像形成内容との対応関係が定められた記録紙を用いて複数頁・複数Ｍ部の画像形成を実行する際に、画像形成の途中でジャムが発生した場合、その後に正しく画像形成を続けることは困難であった。
【００１３】
本発明は以上の課題に鑑みてなされたものであって、画像形成内容との対応関係が定められた記録紙を用いて複数頁・複数Ｍ部の画像形成を実行している途中でジャムが発生した場合にも、面倒な操作無しに正しく画像形成を続行することが可能な画像形成装置を実現することを目的とする。
【００１４】
【課題を解決するための手段】
すなわち、上記の課題を解決する本願発明は、以下のそれぞれに述べるようなものである。
【００１５】
（１）請求項１記載の発明は、複数頁分を一部とした状態で複数部の記録紙について画像形成を行って出力する画像形成装置であって、複数Ｎ頁分を一部とした状態で複数Ｍ部の記録紙の給紙が可能な給紙手段と、前記Ｎについての入力がなされる操作入力部と、前記操作入力部での入力に応じて記録紙に対応した複数Ｎ頁分を一部とする画像データに応じて、複数Ｍ部の画像形成を行う画像形成モードで画像形成を実行する制御手段と、複数の排紙トレイを有する後処理手段と、を備え、前記制御手段は、正常に出力できなかった記録紙が発生した場合に、前記正常に出力できなかった記録紙の次の記録紙から、次の部であって前記正常に出力できなかった記録紙に対応する記録紙の直前の記録紙までを、画像形成せずに、正常に出力する排紙トレイとは別の排紙トレイに排紙する制御を行うと共に、前記正常に出力できなかった記録紙に対応する次の部の記録紙から画像形成を再開する制御を行う、ことを特徴とする画像形成装置である。
【００１６】
この発明では、複数Ｎ頁分の記録紙を一部とした状態で、該記録紙について複数Ｍ部の画像形成を連続して実行する際に、給紙から排紙に至る過程を正常に出力できなかった記録紙（ジャム記録紙）が発生した場合に、ジャム記録紙の次の記録紙から、次の部であってジャム記録紙に対応する頁の記録紙の直前の記録紙までを、画像形成せずに白紙のままの状態で、通常とは別の排紙トレイに排紙すると共に、ジャム記録紙に対応する次の部の記録紙から対応する頁の画像データの画像形成を開始する。
【００１７】
このため、記録紙を給紙トレイに積載する順番と、画像形成する頁の内容と記録紙との対応関係が保たれた状態で画像形成が再開され、対応関係の崩れに起因する再開後の記録紙の無駄は発生しない。
【００１８】
また、ジャムを発生した記録紙の次頁の記録紙から、画像形成を再開する直前までの記録紙は、画像形成されずに別の排紙トレイにまとめて排紙されるので、オペレータ（画像形成装置の使用者）が給紙トレイから取り除く必要もなくなる。このため、給紙トレイからの取り除き忘れや、取り除く記録紙の枚数の間違えが発生することもなくなる。
【００１９】
従って、ジャムが発生した場合に、その実行途中の画像形成を一旦中止（クリア）して、記録紙を新たにセットし直して、新たに画像形成をやり直すといった必要もなくなる。
【００２０】
よって、画像形成内容との対応関係が定められた記録紙を用いて複数頁・複数Ｍ部の画像形成を実行している途中でジャムが発生した場合にも、面倒な操作無しに正しく画像形成を続行することが可能になる。
【００２１】
（２）請求項２記載の発明は、画像形成に関する状態を表示可能な表示手段を備え、前記制御手段は、画像形成せずに別トレイに排紙する記録紙が存在する場合に、該画像形成されずに排紙される記録紙中で欠落している頁の記録紙に関する情報を前記表示手段に表示する制御を行う、ことを特徴とする請求項１記載の画像形成装置である。
【００２２】
この発明では、上記（１）において、画像形成せずに別トレイに排紙する記録紙が存在する場合に、該画像形成されずに排紙される記録紙中で欠落している頁の記録紙に関する情報を、表示手段に表示する制御を行っている。
【００２３】
この場合、ジャム記録紙が欠落する頁となり、欠落する頁が除かれた状態でＮ−１枚の記録紙が画像形成されずに別トレイに排紙されている。したがって、オペレータ（画像形成装置の使用者）は表示手段での表示を参照して、欠落した頁を補うことで、Ｎ頁分の１部の記録紙の組を再利用に回すことが可能になる。
【００２４】
（３）請求項３記載の発明は、画像形成に関する状態を表示可能な表示手段を備え、前記制御手段は、正常に出力できない記録紙が同一画像形成ジョブ中に複数回発生した場合に、別排紙トレイに排紙される記録紙の頁に関する情報を前記表示手段に一覧表示する制御を行う、ことを特徴とする請求項１記載の画像形成装置である。
【００２５】
この発明では、上記（１）において、正常に出力できない記録紙が同一画像形成ジョブ中に複数回発生した場合に、別排紙トレイに排紙される記録紙の頁に関する情報を前記表示手段に一覧表示する制御を行っている。
【００２６】
この場合、ジャム記録紙が欠落する頁となり、欠落する頁が除かれた状態でＮ−１枚の記録紙が画像形成されずに別トレイに排紙されている。したがって、このようなＮ−１枚の記録紙の組が複数発生した場合には、オペレータ（画像形成装置の使用者）は表示手段での表示を参照して、欠落した頁を補い合うことで、Ｎ頁分の記録紙の組を集めて、再利用に回すことが可能になる。
【００２７】
（４）請求項４記載の発明は、複数頁分を一部とした状態で複数部の記録紙について画像形成を行って出力する画像形成装置であって、複数Ｎ頁分を一部とした状態で複数Ｍ部の記録紙の給紙が可能な給紙手段と、前記Ｎについての入力がなされる操作入力部と、前記操作入力部での入力に応じて記録紙に対応した複数Ｎ頁分を一部とする画像データに応じて、複数Ｍ部の画像形成を行う画像形成モードで画像形成を実行する制御手段と、を備え、前記制御手段は、正常に出力できなかった記録紙が発生した場合に、前記正常に出力できなかった記録紙の次頁から同一部の最終頁までの記録紙を画像形成せずに排紙する制御を行うと共に、次の部の第１頁目の記録紙から画像形成を再開する制御を行う、ことを特徴とする画像形成装置である。
【００２８】
この発明では、複数Ｎ頁分の記録紙を一部とした状態で、該記録紙について複数Ｍ部の画像形成を連続して実行する際に、給紙から排紙に至る過程を正常に出力できなかった記録紙（ジャム記録紙）が発生した場合に、ジャム記録紙の次頁の記録紙から、同一部の最終頁までの記録紙を画像形成せずに排紙する制御を行うと共に、次の部の第１頁目の記録紙から画像形成を再開する制御を行うようにしている。
【００２９】
このため、記録紙を給紙トレイに積載する順番と、画像形成する頁の内容と記録紙との対応関係が保たれた状態で画像形成が再開され、対応関係の崩れに起因する再開後の記録紙の無駄は発生しない。
【００３０】
また、ジャムを発生した記録紙の次頁の記録紙から、同一部の最終頁までの記録紙は、画像形成されずに排紙されるので、オペレータ（画像形成装置の使用者）が給紙トレイから取り除く必要もなくなる。このため、給紙トレイからの取り除き忘れや、取り除く記録紙の枚数の間違えが発生することもなくなる。
【００３１】
従って、ジャムが発生した場合に、その実行途中の画像形成を一旦中止（クリア）して、記録紙を新たにセットし直して、新たに画像形成をやり直すといった必要もなくなる。
【００３２】
よって、画像形成内容との対応関係が定められた記録紙を用いて複数頁・複数Ｍ部の画像形成を実行している途中でジャムが発生した場合にも、面倒な操作無しに正しく画像形成を続行することが可能になる。
【００３３】
（５）請求項５記載の発明は、画像形成に関する状態を表示可能な表示手段を備え、前記制御手段は、画像形成せずに排紙する記録紙が存在する場合に、該画像形成されずに排紙される記録紙に関する情報を前記表示手段に表示する制御を行う、ことを特徴とする請求項４記載の画像形成装置である。
【００３４】
この発明は、画像形成せずに排紙する記録紙が存在する場合に、該画像形成されずに排紙される記録紙に関する情報を前記表示手段に表示する制御を行う、ことを特徴とする請求項４記載の画像形成装置である。
【００３５】
この発明では、上記（４）において、画像形成せずに排紙する記録紙が存在する場合に、該画像形成されずに排紙される記録紙に関する情報を、表示手段に表示する制御を行っている。
【００３６】
この場合、ジャム記録紙の前頁までは画像形成されており、ジャム記録紙が欠落する頁となり、ジャム記録紙の次頁から画像形成されない記録紙となっており、欠落する頁が除かれた状態でＮ−１枚の記録紙が不完全状態で出力されることになる。
【００３７】
したがって、オペレータ（画像形成装置の使用者）は表示手段での表示を参照して、ジャム記録紙の前頁までの画像形成された記録紙同士で欠落した頁を補い合って１部の記録紙の組を作成したり、ジャム記録紙の次頁からの画像形成されない記録紙同士で欠落した頁を補い合うことでＮ頁分の１部の記録紙の組を再利用に回したりすることが、可能になる。
【００３８】
【発明の実施の形態】
以下、図面を参照して本発明の実施の形態例を詳細に説明する。
【００３９】
〈第１の実施の形態例〉
図１は本発明の実施の形態例の画像形成装置１００の電気的な主要部分の構成図である。ここでは、画像形成装置１００として、画像読み取り部（スキャナ部）を備えた複写機を具体例にする。
【００４０】
この図１において、１０１は画像形成装置１００の各部を制御する制御部であり、本実施の形態例においては、複数Ｎ頁分の記録紙を一部とした状態で、該記録紙について複数Ｍ部の画像形成を連続して実行する際に、給紙から排紙に至る過程を正常に出力できなかった記録紙（ジャム記録紙）が発生した場合に、ジャム記録紙の次の記録紙から、次の部であってジャム記録紙に対応する頁の記録紙の直前の記録紙までを、画像形成せずに白紙のままの状態で、通常とは別の排紙トレイに排紙すると共に、ジャム記録紙に対応する次の部の記録紙から対応する頁の画像データの画像形成を開始する制御を行う。
【００４１】
１０２はユーザからの操作がなされると共に画像形成装置の状態を表示する操作表示部である。１０３は各種制御のためのデータが格納されているテーブルである。
【００４２】
１１０は原稿の画像を読み込んで画像データを生成するための画像読み取り部、１２０は図示されない外部機器あるいは画像読み取り部１１０などからの画像データを受けて必要な画像処理を施す画像処理部である。
【００４３】
１３０は像担持体に対して画像データに応じた露光を行うことで静電潜像を形成する潜像形成手段としての露光部である。この露光としてはレーザビームの走査による露光であっても、ライン状に配置されたＬＥＤによる露光であっても構わない。
【００４４】
１４０は複数種類の記録紙を給紙するために複数の給紙トレイを備えた給紙部である。ここで、どの給紙トレイから記録紙を給紙するかについては、制御部１０１の指示に基づいて動作する。なお、給紙カセットの段数はこの例に限定されるものではない。
【００４５】
１５０は記録紙（転写紙）に対して画像（トナー像）を形成する画像形成部であり、感光体ドラムなどの像担持体１５１、像担持体１５１の表面を一様に帯電させる帯電部１５２、像担持体１５１上の静電潜像を現像することにより像担持体１５１上に顕像（トナー像）を生成する現像部１５３、像担持体１５１および記録紙に対して転写電流を与えることで顕像を記録紙に転写させる転写部１５４、像担持体１５１および記録紙に対して分離電流を与えることで顕像が転写された記録紙を像担持体１５１から分離させる分離部１５５、転写後の像担持体１５１に残存しているトナーを除去するクリーニング部１５６などを備えて構成されている。
【００４６】
１６０は記録紙上に転写されたトナー像を熱と圧力とにより記録紙に固着させるための定着部であり、所定の温度に制御された熱ローラと圧着ローラとにより構成されている。１７０は制御部１０１の指示に基づいて仕分け等の後処理を行う後処理部である。
【００４７】
なお、以上の説明では、感光体ドラム形式の像担持体１５１を例示したが、ベルト状の像担持体や中間転写部材を使用する形式の画像形成装置であっても用いることができる。また、モノクロの画像形成装置に限られず、複数色のトナーを使用するカラー画像形成装置であっても適用することができる。
【００４８】
以上のような画像形成装置において、図２を参照して動作説明を行う。なお、この図２のフローチャートは、全体制御部１０１で動作している画像形成制御プログラム中でコールされるものである。なお、以下の実施の形態例の動作説明では、全体制御部１０１と画像形成制御プログラムのサブルーチンによる制御や動作を、単に全体制御部１０１の制御という言い方で説明する。
【００４９】
なお、この実施の形態例では、Ｎ頁・Ｍ部の記録紙に対応した複数（Ｎ）頁分を一部とする画像データに応じて、制御部１０１の指示に基づいて複数（Ｍ）部の画像形成を行う画像形成モードで画像形成を実行する場合について説明する。従って、本実施の形態例の画像形成装置は、通常の一般的な画像形成の機能も有しているが、そのような既知の機能についての説明は省略する。
【００５０】
まず、オペレータ（画像形成装置の使用者）は、複数（Ｎ）頁分の記録紙を一部とした状態で複数（Ｍ）部の記録紙（図３（ａ）参照）重ねた状態で、給紙部１３０のいずれかの給紙段にセットする。この図３の例では、各部の第１頁目にタブ紙が配置された様子を示している。
【００５１】
また、操作表示部１０２から、Ｎ頁・Ｍ部の画像形成をしようとする場合の、ＮとＭの数値を入力する（図２Ｓ１）。入力されたＮとＭの数値に応じて、ＣＰＵ１０１が以後の画像形成の制御パターンを決定し、制御を実行する。
【００５２】
そして、画像読み取り部１１０にＮ頁分の原稿がセットされた状態で、操作表示部１０２から画像形成装置の開始の指示（操作表示部１０２のコピーボタンの押下など）がなされると、制御部１０１の指示によって画像形成装置として画像形成を実行する（図２Ｓ２）。この場合、Ｎ頁の原稿を読み取って、Ｎ頁の記録紙に対する画像形成をＭ部繰り返す動作を行う。
【００５３】
この画像形成において、制御部１０１は図示されていない各種センサの検知結果を参照してジャム検知（図２Ｓ３）を行っており、ジャムが発生していなければ（図２Ｓ３でＮ）、Ｎ頁分の画像形成をＭ部について完了するまで画像形成を繰り返す（図２Ｓ９でＮ→Ｓ２）。
【００５４】
ここで、ジャムとは紙詰まりなどを意味しており、この実施の形態例においては、何らかの理由により給紙から排紙に至る過程を正常に実行できなかった各種状態をジャムと称する。
【００５５】
この画像形成の途中において、制御部１０１がジャム検知した場合（図２Ｓ３でＹ）、ジャムが発生したのが何頁であるかを、制御部１０１内のレジスタあるいはテーブル１０３などに記憶する（図２Ｓ４）。
【００５６】
そして、制御部１０１は、通常のジャム処理手順に従い、ジャムが発生している箇所の表示を操作表示部１０２に行って、オペレータに対してジャム紙の除去を促す制御を行う（図２Ｓ５）。なお、このジャム処理手順の際の操作表示部１０２への表示は、各種センサによってジャム紙が除去されたことを検知するまで続行する（図２Ｓ６でＮ→Ｓ５）。
【００５７】
そして、制御部１０１は、各種センサによってジャム紙が除去されたことを検知した場合（図２Ｓ６でＹ）、ジャム記録紙が発生した場合に、ジャム記録紙の次の記録紙から、次の部であってジャム記録紙に対応する頁の記録紙の直前の記録紙までを、画像形成せずに白紙のままの状態で通常とは別の排紙トレイに排紙する（図２Ｓ７、Ｓ８でＮ）。この場合、制御部１０１の指示に基づいて、仕分け部１７０ａが、正常な画像形成の記録紙を排紙する排紙トレイ（１７１または１７２）とは別な排紙トレイ（１７２または１７１）に、白紙の記録紙を排紙する。このように排紙することで、正常に画像形成された分と、画像形成されずに排紙された分とを簡単に分けることができる。
【００５８】
なお、ジャムなどにより画像形成せずに排紙する記録紙が存在する場合に、制御部１０１は、該画像形成されずに排紙される記録紙についての情報を操作表示部１０２に表示する制御を行うことが望ましい。たとえば、何部目の何頁目の記録紙でジャムが発生し、何枚の記録紙を画像形成せずにどの排紙トレイに排紙したか、といった情報である。このようにすることで、画像形成されなかった記録紙をオペレータが、より一層取り除きやすくなる。
【００５９】
そして、ジャム記録紙に対応する次の部の記録紙から、対応する頁の画像データ（ジャムにより出力できなかった画像データ）についての画像形成を開始する（図２Ｓ８でＹ）。
【００６０】
そして、以上の処理を繰り返して、給紙部１３０にセットされている複数Ｍ部の複数Ｎ頁分の記録紙についての画像形成を、記録紙がなくなるまで続行する（図２Ｓ９でＹ）。
【００６１】
図３（ａ）は一部あたり４頁（Ｎ＝４）、１０部（Ｍ＝１０）の記録紙を模式的に示す説明図である。この場合、各部の複数頁の記録紙については、レターヘッドが予め印刷された表紙を使用する場合や、挿入頁位置が予め定められたタブ紙を用いる場合などがあり、記録紙を給紙トレイに積載する順番と、画像形成する頁の内容と記録紙との対応関係が重要になっている。ここでは、タブ紙を配置した例を示している。そして、この４頁・１０部の記録紙を一つにまとめて（図３（ｂ））、画像形成前に、給紙部１３０にセットする。
【００６２】
ここで、２部目の３頁目（２−３）の記録紙でジャムが発生したとすると、制御部１０１は、その直後の２部目の４頁目（２−４）の記録紙から、次の部である３部目の３頁目（３−３）の記録紙の直前の３部目の２頁目（３−２）の記録紙までを、を画像形成せずに白紙のまま排紙する。
【００６３】
そして、制御部１０１の指示により、３部目の３頁目（３−３）の記録紙から、ジャムにより出力できていなかった３頁目の画像データによって画像形成を再開する。
【００６４】
以上のようにすることで、記録紙を給紙トレイに積載する順番と、画像形成する頁の内容と記録紙との対応関係が保たれた状態で画像形成が再開され、対応関係の崩れに起因する再開後の記録紙の無駄は発生しない。
【００６５】
また、ジャムを発生した記録紙の次の記録紙から、画像形成を再開する直前までの記録紙は、画像形成されずに別な排紙トレイに自動的に排紙されるので、オペレータ（画像形成装置の使用者）が給紙トレイから取り除く必要もなくなる。このため、給紙トレイからの取り除き忘れや、取り除く記録紙の枚数の間違えが発生することもなくなる。
【００６６】
従って、ジャムが発生した場合に、その実行途中の画像形成を一旦中止（クリア）して、記録紙を新たにセットし直して、新たに画像形成をやり直すといった必要もなくなる。よって、画像形成内容との対応関係が定められた記録紙を用いて複数頁・複数Ｍ部の画像形成を実行している途中でジャムが発生した場合にも、面倒な操作無しに正しく画像形成を続行することが可能になる。
【００６７】
なお、ジャムなどにより画像形成せずに排紙する記録紙が存在する場合に、制御部１０１は、該画像形成されずに排紙される記録紙についての情報を操作表示部１０２に表示する制御を行うことが望ましい。たとえば、何部目の何頁目の記録紙でジャムが発生し、何枚の記録紙を画像形成せずにどの排紙トレイに排紙したか、といった情報である。表示の一例を図４に示す。このようにすることで、画像形成されなかった記録紙をより一層取り除きやすくなる。
【００６８】
よって、画像形成内容との対応関係が定められた記録紙を用いて複数頁・複数Ｍ部の画像形成を実行している途中でジャムが発生した場合にも、オペレータ（画像形成装置の使用者）は、表示手段での表示に基づいて、画像形成されなかった記録紙を排紙トレイから除くだけでよくなる。
【００６９】
また、この場合、ジャム記録紙が欠落する頁となり、欠落する頁が除かれた状態でＮ−１枚の記録紙が画像形成されずに別トレイに排紙されている。従って、図４に示すように欠落している頁を表示することで、後に再利用する場合の手助けとなる。
【００７０】
また、この実施の形態例では、ジャムが同一画像形成ジョブ中に複数回発生した場合に、別排紙トレイに排紙される記録紙の頁に関する情報を、図５のように操作表示部１０２に一覧表示することも好ましい。
【００７１】
この場合、ジャム記録紙が欠落する頁となり、欠落する頁が除かれた状態でＮ−１枚の記録紙が画像形成されずに別トレイに排紙されている。したがって、このようなＮ−１枚の記録紙の組が複数発生した場合には、オペレータ（画像形成装置の使用者）は操作表示部１０２での表示を参照して、欠落した頁を補い合うことで、Ｎ頁分の記録紙の組を集めて、再利用に回すことが可能になる。
【００７２】
〈第２の実施の形態例〉
図６は本願発明の第２の実施の形態例の動作を示すフローチャートである。画像形成装置は基本的に図１と同様な構成であるが、後処理装置１７０が不要であることと、制御部１０１の制御が異なっている。
【００７３】
すなわち、制御部１０１は、複数Ｎ頁分の記録紙を一部とした状態で、該記録紙について複数Ｍ部の画像形成を連続して実行する際に、給紙から排紙に至る過程を正常に出力できなかった記録紙（ジャム記録紙）が発生した場合に、ジャム記録紙の次の記録紙から同一部の最終頁の記録紙までを画像形成せずに白紙のままの状態で排紙すると共に、次の部の第１頁目の記録紙から画像形成を開始する制御を行う。
【００７４】
以上のような画像形成装置において、図６を参照して動作説明を行う。なお、この図６のフローチャートは、全体制御部１０１で動作している画像形成制御プログラム中でコールされるものである。なお、以下の実施の形態例の動作説明では、全体制御部１０１と画像形成制御プログラムのサブルーチンによる制御や動作を、単に全体制御部１０１の制御という言い方で説明する。
【００７５】
なお、この実施の形態例では、Ｎ頁・Ｍ部の記録紙に対応した複数（Ｎ）頁分を一部とする画像データに応じて、制御部１０１の指示に基づいて複数（Ｍ）部の画像形成を行う画像形成モードで画像形成を実行する場合について説明する。従って、本実施の形態例の画像形成装置は、通常の一般的な画像形成の機能も有しているが、そのような既知の機能についての説明は省略する。
【００７６】
まず、オペレータ（画像形成装置の使用者）は、複数（Ｎ）頁分の記録紙を一部とした状態で複数（Ｍ）部の記録紙（図７（ａ）参照）重ねた状態で、給紙部１３０のいずれかの給紙段にセットする。この図７の例では、各部の第１頁目にタブ紙が配置された様子を示している。
【００７７】
また、操作表示部１０２から、Ｎ頁・Ｍ部の画像形成をしようとする場合の、ＮとＭの数値を入力する（図６Ｓ１）。入力されたＮとＭの数値に応じて、ＣＰＵ１０１が以後の画像形成の制御パターンを決定し、制御を実行する。
【００７８】
そして、画像読み取り部１１０にＮ頁分の原稿がセットされた状態で、操作表示部１０２から画像形成装置の開始の指示（操作表示部１０２のコピーボタンの押下など）がなされると、制御部１０１の指示によって画像形成装置として画像形成を実行する（図６Ｓ２）。この場合、Ｎ頁の原稿を読み取って、Ｎ頁の記録紙に対する画像形成をＭ部繰り返す動作を行う。
【００７９】
この画像形成において、制御部１０１は図示されていない各種センサの検知結果を参照してジャム検知（図６Ｓ３）を行っており、ジャムが発生していなければ（図６Ｓ３でＮ）、Ｎ頁分の画像形成をＭ部について完了するまで画像形成を繰り返す（図６Ｓ９でＮ→Ｓ２）。
【００８０】
ここで、ジャムとは紙詰まりなどを意味しており、この実施の形態例においては、何らかの理由により給紙から排紙に至る過程を正常に実行できなかった各種状態をジャムと称する。
【００８１】
この画像形成の途中において、制御部１０１がジャム検知した場合（図６Ｓ３でＹ）、ジャムが発生したのが何頁であるかを、制御部１０１内のレジスタあるいはテーブル１０３などに記憶する（図６Ｓ４）。
【００８２】
そして、制御部１０１は、通常のジャム処理手順に従い、ジャムが発生している箇所の表示を操作表示部１０２に行って、オペレータに対してジャム紙の除去を促す制御を行う（図６Ｓ５）。なお、このジャム処理手順の際の操作表示部１０２への表示は、各種センサによってジャム紙が除去されたことを検知するまで続行する（図６Ｓ６でＮ→Ｓ５）。
【００８３】
そして、制御部１０１は、各種センサによってジャム紙が除去されたことを検知した場合（図６Ｓ６でＹ）、ジャム記録紙が発生した場合に、ジャム記録紙の次の記録紙から、同一部の最終頁の記録紙までを、画像形成せずに白紙のままの状態で排紙トレイに排紙する（図６Ｓ７、Ｓ８でＮ）。
【００８４】
なお、ジャムなどにより画像形成せずに排紙する記録紙が存在する場合に、制御部１０１は、該画像形成されずに排紙される記録紙についての情報を操作表示部１０２に表示する制御を行うことが望ましい。たとえば、何部目の何頁目の記録紙でジャムが発生し、何枚の記録紙を画像形成せずにどの排紙トレイに排紙したか、といった情報である。このようにすることで、画像形成されなかった記録紙をオペレータが、より一層取り除きやすくなる。
【００８５】
そして、次の部の第１頁目の記録紙から、第１頁の画像データについての画像形成を開始する（図６Ｓ８でＹ）。
【００８６】
そして、以上の処理を繰り返して、給紙部１３０にセットされている複数Ｍ部の複数Ｎ頁分の記録紙についての画像形成を、記録紙がなくなるまで続行する（図６Ｓ９でＹ）。
【００８７】
図７（ａ）は一部あたり４頁（Ｎ＝４）、１０部（Ｍ＝１０）の記録紙を模式的に示す説明図である。この場合、各部の複数頁の記録紙については、レターヘッドが予め印刷された表紙を使用する場合や、挿入頁位置が予め定められたタブ紙を用いる場合などがあり、記録紙を給紙トレイに積載する順番と、画像形成する頁の内容と記録紙との対応関係が重要になっている。ここでは、タブ紙を配置した例を示している。そして、この４頁・１０部の記録紙を一つにまとめて（図７（ｂ））、画像形成前に、給紙部１３０にセットする。
【００８８】
ここで、２部目の３頁目（２−３）の記録紙でジャムが発生したとすると、制御部１０１は、その直後の２部目の４頁目（２−４）の記録紙から、同じ部であるの最終頁の記録紙までを画像形成せずに白紙のまま排紙する。この場合には、４頁が最終頁でもあるので、２部目の４頁目のみが画像形成されずに排紙される。
【００８９】
そして、制御部１０１の指示により、次の部である３部目の１頁目（３−１）の記録紙から、通常の画像形成を再開する。
【００９０】
以上のようにすることで、記録紙を給紙トレイに積載する順番と、画像形成する頁の内容と記録紙との対応関係が、ジャムを発生した部の次の部からは再び保たれた状態で画像形成が再開され、対応関係の崩れに起因する再開後の記録紙の無駄は発生しない。
【００９１】
また、ジャムを発生した記録紙の次の記録紙から、画像形成を再開する直前までの記録紙は、画像形成されずに排紙トレイに自動的に排紙されるので、オペレータ（画像形成装置の使用者）が給紙トレイから取り除く必要もなくなる。このため、給紙トレイからの取り除き忘れや、取り除く記録紙の枚数の間違えが発生することもなくなる。
【００９２】
従って、ジャムが発生した場合に、その実行途中の画像形成を一旦中止（クリア）して、記録紙を新たにセットし直して、新たに画像形成をやり直すといった必要もなくなる。よって、画像形成内容との対応関係が定められた記録紙を用いて複数頁・複数Ｍ部の画像形成を実行している途中でジャムが発生した場合にも、面倒な操作無しに正しく画像形成を続行することが可能になる。
【００９３】
なお、ジャムなどにより画像形成せずに排紙する記録紙が存在する場合に、制御部１０１は、該画像形成されずに排紙される記録紙についての情報を操作表示部１０２に表示する制御を行うことが望ましい。たとえば、何部目の何頁目の記録紙でジャムが発生し、何枚の記録紙を画像形成せずに排紙トレイに排紙したか、といった情報である。表示の一例を図８に示す。
【００９４】
このようにすることで、後処理装置や仕分け機構を備えておらず、同一の排紙トレイに排紙する場合であっても、画像形成されなかった記録紙をより一層取り除きやすくなる。また、後処理装置や仕分け機構を備えた画像形成装置であっても、画像形成された記録紙も白紙の記録紙も同一の排紙トレイに排紙することで制御が簡素化できる利点がある。
【００９５】
よって、画像形成内容との対応関係が定められた記録紙を用いて複数頁・複数Ｍ部の画像形成を実行している途中でジャムが発生した場合にも、オペレータ（画像形成装置の使用者）は、表示手段での表示に基づいて、画像形成されなかった記録紙を排紙トレイから除くだけでよくなる。
【００９６】
また、この実施の形態例では、ジャムが同一画像形成ジョブ中に複数回発生した場合に、白紙で排紙される記録紙の頁に関する情報を、図９のように操作表示部１０２に一覧表示することも好ましい。
【００９７】
この場合、このような複数枚の白紙の記録紙の組が複数発生した場合には、オペレータ（画像形成装置の使用者）は操作表示部１０２での表示を参照して、欠落した頁を補い合うことで、Ｎ頁分の記録紙の組を集めて、再利用に回すことが可能になる。
【００９８】
また、このようなジャムが複数発生した場合には、オペレータ（画像形成装置の使用者）は操作表示部１０２での表示を参照して、画像形成された部分の記録紙を集めて補い合うことで、Ｎ頁分の画像形成された形の記録紙を１部作成することが可能になる。
【００９９】
また、ジャムが生じて画像形成された記録紙と白紙の記録紙とが排紙されている場合に、図１０に示すような表示を行い、ジャムが生じた部分の記録紙をオペレータが除いてから次の部の画像形成を再開するように促すことも望ましい。
【０１００】
〈その他の実施の形態例〉
なお、以上の図１の装置の具体例においてはモノクロの画像形成装置を用いたが、カラーの画像形成装置であっても、以上の各実施の形態例の内容を適用して良好な結果を得ることが可能である。また、中間転写体ベルトを使用する画像形成装置であっても同様に本実施の形態例によって良好な結果を得ることができる。
【０１０１】
【発明の効果】
以上、説明したように、本発明によれば、以下のような効果を得ることができる。
【０１０２】
（１）第１の発明では、、複数Ｎ頁分の記録紙を一部とした状態で、該記録紙について複数Ｍ部の画像形成を連続して実行する際に、給紙から排紙に至る過程を正常に出力できなかった記録紙（ジャム記録紙）が発生した場合に、ジャム記録紙の次の記録紙から、次の部であってジャム記録紙に対応する頁の記録紙の直前の記録紙までを、画像形成せずに白紙のままの状態で、通常とは別の排紙トレイに排紙すると共に、ジャム記録紙に対応する次の部の記録紙から対応する頁の画像データの画像形成を開始する。
【０１０３】
このため、記録紙を給紙トレイに積載する順番と、画像形成する頁の内容と記録紙との対応関係が保たれた状態で画像形成が再開され、対応関係の崩れに起因する再開後の記録紙の無駄は発生しない。また、ジャムを発生した記録紙の次頁の記録紙から、画像形成を再開する直前までの記録紙は、画像形成されずに別の排紙トレイにまとめて排紙されるので、オペレータ（画像形成装置の使用者）が給紙トレイから取り除く必要もなくなる。このため、給紙トレイからの取り除き忘れや、取り除く記録紙の枚数の間違えが発生することもなくなる。従って、ジャムが発生した場合に、その実行途中の画像形成を一旦中止（クリア）して、記録紙を新たにセットし直して、新たに画像形成をやり直すといった必要もなくなる。よって、画像形成内容との対応関係が定められた記録紙を用いて複数頁・複数Ｍ部の画像形成を実行している途中でジャムが発生した場合にも、面倒な操作無しに正しく画像形成を続行することが可能になる。
【０１０４】
（２）第２の発明では、、複数Ｎ頁分の記録紙を一部とした状態で、該記録紙について複数Ｍ部の画像形成を連続して実行する際に、給紙から排紙に至る過程を正常に出力できなかった記録紙（ジャム記録紙）が発生した場合に、ジャム記録紙の次頁の記録紙から、同一部の最終頁までの記録紙を画像形成せずに排紙する制御を行うと共に、次の部の第１頁目の記録紙から画像形成を再開する制御を行うようにしている。
【０１０５】
このため、記録紙を給紙トレイに積載する順番と、画像形成する頁の内容と記録紙との対応関係が保たれた状態で画像形成が再開され、対応関係の崩れに起因する再開後の記録紙の無駄は発生しない。また、ジャムを発生した記録紙の次頁の記録紙から、同一部の最終頁までの記録紙は、画像形成されずに排紙されるので、給紙トレイからの取り除き忘れや、取り除く記録紙の枚数の間違えが発生することもなくなる。従って、ジャムが発生した場合に、その実行途中の画像形成を一旦中止（クリア）して、記録紙を新たにセットし直して、新たに画像形成をやり直すといった必要もなくなる。よって、画像形成内容との対応関係が定められた記録紙を用いて複数頁・複数Ｍ部の画像形成を実行している途中でジャムが発生した場合にも、面倒な操作無しに正しく画像形成を続行することが可能になる。
【図面の簡単な説明】
【図１】本発明の実施の形態例の画像形成装置の電気的構成を示す構成図である。
【図２】本発明の第１の実施の形態例の画像形成装置の動作状態示すフローチャートである。
【図３】本発明の第１の実施の形態例の画像形成装置における動作の様子を示す説明図である。
【図４】本発明の第１の実施の形態例の画像形成装置の動作時における画面表示の一例を示す説明図である。
【図５】本発明の第１の実施の形態例の画像形成装置の動作時における画面表示の一例を示す説明図である。
【図６】本発明の第２の実施の形態例の画像形成装置の動作状態示すフローチャートである。
【図７】本発明の第２の実施の形態例の画像形成装置における動作の様子を示す説明図である。
【図８】本発明の第２の実施の形態例の画像形成装置の動作時における画面表示の一例を示す説明図である。
【図９】本発明の第２の実施の形態例の画像形成装置の動作時における画面表示の一例を示す説明図である。
【図１０】本発明の第２の実施の形態例の画像形成装置の動作時における画面表示の一例を示す説明図である。
【符号の説明】
１００　画像形成装置
１０１　制御部
１０２　操作表示部
１０３　テーブル
１１０　画像読み取り部
１２０　画像処理部
１３０　露光部
１４０　給紙部
１５０　画像形成部
１５１　像担持体
１５４　転写部
１５５　分離部
１７０　後処理部
【図１】
2004117970.tif 000003
【図２】
2004117970.tif 000004
【図３】
2004117970.tif 000005
【図４】
2004117970.tif 000006
【図５】
2004117970.tif 000007
【図６】
2004117970.tif 000008
【図７】
2004117970.tif 000009
【図８】
2004117970.tif 000010
【図９】
2004117970.tif 000011
【図１０】
2004117970.tif 000012